(57)【特許請求の範囲】
【請求項１】
来訪者を撮像するカメラを有し入口周辺に配置されるドアフォン子器と、カメラにより撮像された映像を見ながら家人が来訪者と通話することのできるドアフォン親器とからなるドアフォン装置において、来訪者に応じたデータであるIDコードが書き込まれ各来訪者に携帯されるIDプレートと、赤外線を透過させる赤外線フィルタをドアフォン子器のカメラのレンズに適宜付するものであって、ドアフォン子器の呼び出し釦が押下されたときは、来訪者を撮像するために回転軸を中心に起きあがりドアフォン子器のカメラのレンズを覆っていた赤外線フィルタが外れ、ドアフォン子器の呼び出し釦が押下されない待機時である通常時は、IDコードの読み取りを行うために赤外線フィルタが回転軸を中心に倒れ、ドアフォン子器のカメラのレンズを覆うように配置される赤外線フィルタ駆動装置と、ドアフォン子器のカメラで読み取ったIDプレートに書き込まれたデータから来訪者を特定する来訪者特定装置と、特定した来訪者に基づいた動作を行う動作装置とを付加するようにしたことを特徴とするドアフォン装置。
【請求項２】
来訪者が予め定めておいた人物であると特定された場合には、動作装置により家人に対してその旨を報知するようにしたことを特徴とする請求項１記載のドアフォン装置。
【請求項３】
来訪者が入室を許可された人物であると特定された場合には、動作装置によりドアの施錠を解除するようにしたことを特徴とする請求項１又は請求項２記載のドアフォン装置。
【発明の詳細な説明】
【０００１】
【発明の属する技術分野】
本発明は、室内等にいる家人が子器に付されたカメラにより撮像された映像を見ながら来訪者と通話することのできるドアフォン装置に関するものである。
【０００２】
【従来の技術】
従来のドアフォン装置では、来訪者のモニタのためにドアフォン子器にカメラを一体化することが提案されている。そして、ドアフォン親器側にモニタＴＶを設け、来訪者があるとき、ドアフォン子器側のカメラで撮影した映像をモニタＴＶに写し出し、来訪者の顔を確認できるようにしている。
【０００３】
【発明が解決しようとする課題】
ところが、従来のドアフォン装置では、来訪者は自らが到着した旨を家人に知らせるために、ドアフォン子器に設けられた呼び出し釦を押下等しなければならないという問題点を有していた。また、家人は入口に来訪者がある旨を報知された後、モニタＴＶ等を用いて訪れた来訪者が誰であるかをいちいち確認し、その後に来訪者と通話したり、さらにドアを開錠したりしなければならないという問題点を有していた。
【０００４】
本発明は、上記の問題点に鑑みて成されたものであり、その目的とするところは、ドアフォン子器の前に立つだけで来訪者を特定し、特定された来訪者毎に様々な動作を自動的に行うことが可能となるドアフォン装置を提供することにある。
【０００５】
【課題を解決するための手段】
請求項１記載の発明は、来訪者を撮像するカメラを有し入口周辺に配置されるドアフォン子器と、カメラにより撮像された映像を見ながら家人が来訪者と通話することのできるドアフォン親器とからなるドアフォン装置において、来訪者に応じたデータであるＩＤコードが書き込まれ各来訪者に携帯されるＩＤプレートと、カメラで読み取ったＩＤプレートに書き込まれたデータから来訪者を特定する来訪者特定装置と、特定した来訪者に対応する動作を行う動作装置とを付加するようにしたことを特徴とするものである。
【０００６】
請求項２記載の発明は、請求項１記載のドアフォン装置において、来訪者が予め定めておいた人物であると特定された場合には、動作装置により家人に対してその旨を報知するようにしたことを特徴とするものである。
【０００７】
請求項３記載の発明は、請求項１又は請求項２記載のドアフォン装置において、来訪者が入室を許可された人物であると特定された場合には、動作装置によりドアの施錠を解除するようにしたことを特徴とするものである。
【０００８】
【発明の実施の形態】
以下、本発明の一実施の形態について図１乃至図５に基づき詳細に説明する。図１はドアフォン装置の概略構成図である。図２はＩＤプレートを取り付けた状態を表す来訪者の正面図である。図３はＩＤコードの一例を示す図である。図４はドアフォン子器によりＩＤプレートを読み取る状態を示す図である。図５はドアフォン子器を示す正面図である。
【０００９】
ドアフォン装置は、来訪者に応じたデータであるＩＤコードが書き込まれ各来訪者に携帯されるＩＤプレート１と、来訪者を撮像するとともにＩＤプレート１に書き込まれたデータを読み取るカメラが一体に設けられたドアフォン子器３と、カメラにより撮像された映像を表示するＴＶモニタを備えるとともにドアフォン子器３と通話が可能なドアフォン親器５と、赤外線フィルタ駆動装置７と、カメラで読み取った内容から来訪者を特定する来訪者特定装置９と、特定した来訪者に対応する動作を行う動作装置１１とから構成される。また、来訪者特定装置９は、ＩＤコード変換装置１３と、ＩＤコード判断装置１５と、参照装置１７とから構成される。
【００１０】
ＩＤプレート１は、赤外線を反射するような塗料でＩＤコードが印刷されたプレートであり、図２のように人の胸等に付けられるものである。図２に示すＩＤプレートには、４つのＩＤコードが付されている。この４つのＩＤコードにより、そのＩＤプレートを付けている人が誰であるかを特定することが可能となる。なお、ＩＤコードは後述するカメラにより読みとることができればよく、来訪者の衣服やプレート以外の持ち物に印刷し、これを読み取るようにしてもよい。
【００１１】
ＩＤプレート１に付されたＩＤコードは、図３に示すように、例えば、１０×１０の矩形の升目（以下、マトリクスコードと記載）によって構成され、赤外線を反射する部分Ｒと反射しない部分Ｎとに塗り分けることにより他のＩＤコードと識別される。なお、マトリクスコードを用いることにより、一つのＩＤコードに極めて多くの情報をコード化することができ、文字列等のコード化も可能となる。
【００１２】
赤外線フィルタ駆動装置７は、ＩＤプレート１に反射された赤外線のみを透過させる赤外線フィルタＦをレンズに適宜付する装置である。この赤外線フィルタＦにより、ＩＤコードの識別に不要な光をできるだけ遮断し、赤外線のみを集光することが可能となる。この赤外線フィルタ駆動装置７は、例えば、ドアフォン子器３の呼び出し釦が押下されたときは来訪者を撮像するために、図５に示すように、赤外線フィルタＦが回転軸Ｃを中心に起きあがり、カメラのレンズを覆っていた赤外線フィルタＦが外れるようになっている。また、通常時は、ＩＤコードの読み取りを行うために赤外線フィルタＦが回転軸Ｃを中心に倒れ、カメラのレンズを覆うように配置される。
【００１３】
ドアフォン子器３に設けられたカメラは、例えば、モノクロＣＣＤカメラからなり、マトリクスコードに反射し、赤外線フィルタＦを透過した赤外線を取り込むものである。
【００１４】
ＩＤコード変換装置１３は、ドアフォン子器３に設けられたカメラで読みとった内容を必要な情報に変換するものである。ＩＤコード変換装置１３では、読みとった画像を２値化することによってマトリクスコードのうち赤外線の部分だけを高輝度点として残し、パターンマッチングの技術を用いてマトリクスコードによってコード化された情報を入力情報に変換するものである。
【００１５】
ＩＤコード判断装置１５は、予め各ＩＤコードに対応する情報を記憶した参照装置１７を用いて、入力情報に変換されたＩＤコードからＩＤプレート１を付けた人を特定するものである。また、ＩＤコード判断装置１５において特定された人に対応して各種機器が行うべき動作も参照装置１７において記憶しておき、参照装置１７に記憶された内容に基づいて動作装置１１により各種機器を動作させる。すなわち、例えば、「来訪者が父親であれば呼び出しベルを鳴らす」と参照装置１７に記憶しておけば、来訪者特定装置９にて特定された人物が父親であるとき、動作装置１１により呼び出しベル（図示せず）が所定時間にわたり鳴らされることになる。また、「来訪者が父親であればドアを開錠する」と参照装置１７に記憶しておけば、来訪者が父親であると特定されたときドアの開錠が動作装置１１により自動的に行われることになる。
【００１６】
本実施の形態のドアフォン装置によれば、例えば、その家に住む人がＩＤプレート１を付けてドアフォン子器３の前に現れた時、来訪者特定装置９において来訪者がその家の住人であると特定され、来訪者がドアフォン子器３に設けられた呼び出し釦を押さなくても、動作装置１１により呼び出しベルを鳴らすといったことが可能になる。加えて、その家の住人であることが特定された後、施錠されているドアを開錠するようにすれば、家人が来訪者をドアフォン親器５に設けられたＴＶモニタ等で確認した後、ドアの開錠を行うという手間を省くことが可能となる。また、特定された来訪者毎に呼び出しベルの音を変化させるようにすれば、ドアフォン親器５に設けられたＴＶモニタで来訪者が誰であるかを確認することなく誰が尋ねてきたのかを家人が認識できることになる。
【００１７】
【発明の効果】
以上のように、請求項１記載の発明にあっては、来訪者を撮像するカメラを有し入口周辺に配置されるドアフォン子器と、カメラにより撮像された映像を見ながら家人が来訪者と通話することのできるドアフォン親器とからなるドアフォン装置において、来訪者に応じたデータであるＩＤコードが書き込まれ各来訪者に携帯されるＩＤプレートと、カメラで読み取ったＩＤプレートに書き込まれたデータから来訪者を特定する来訪者特定装置と、特定した来訪者に対応する動作を行う動作装置とを付加するようにしたので、ドアフォン子器の前に立つだけで来訪者を特定し、特定された来訪者毎に様々な動作を自動的に行うことが可能となるドアフォン装置を提供することができるという効果を奏する。
【００１８】
請求項２記載の発明にあっては、請求項１記載のドアフォン装置において、来訪者が予め定めておいた人物であると特定された場合には、動作装置により家人に対してその旨を報知するようにしたので、ドアフォン子器に設けた呼び出し釦をわざわざ押さなくても、来訪した旨を家人に報知することが可能になるとともに、例えば、来訪者毎に呼び出し音を変化させることによりその旨を報知するようにすれば、ドアフォン親器に設けられたＴＶモニタ等を用いて来訪者を確認しなくても、家人は呼び出し音により来訪者を認識することができるという効果を奏する。
【００１９】
請求項３記載の発明にあっては、請求項１又は請求項２記載のドアフォン装置において、来訪者が入室を許可された人物であると特定された場合には、動作装置によりドアの施錠を解除するようにしたので、家人が来訪者をＴＶモニタ等で特定した上でドアを開錠するといった手間を省くことができるという効果を奏する。
【図面の簡単な説明】
【図１】ドアフォン装置の概略構成図である。
【図２】ＩＤプレートを取り付けた状態を表す来訪者の正面図である。
【図３】ＩＤコードの一例を示す図である。
【図４】ドアフォン子器によりＩＤプレートを読み取る状態を示す図である。
【図５】ドアフォン子器を示す正面図である。
【符号の説明】
１    ＩＤプレート
３    ドアフォン子器
５    ドアフォン親器
９    来訪者特定装置
１１  動作装置
【図１】
0003633251.tif 000002
【図２】
0003633251.tif 000003
【図３】
0003633251.tif 000004
【図４】
0003633251.tif 000005
【図５】
0003633251.tif 000006